(57)【要約】【課題】眼科手術で使用されるリストレスト用離被架を利用して吸入酸素を供給でき、患者の緊張が軽減されて、しかも面倒な手作業が伴う材料準備を省略でき、繰り返し使用することから消耗材料が無く、経費を低減できるリストレスト用離被架を提供すること。【解決手段】眼科手術台２の枕部４上方に設置されたリストレスト３の両端間に架設され、吸入酸素送管１０を、その酸素噴出口１２が枕部４に載せた被術者頭部の上方に臨むよう設ける。【選択図】      図１
2005013245.tif 000002
【特許請求の範囲】
【請求項１】
眼科手術台の枕部上方に設置されたリストレストの両端間に架設したリストレスト用離被架において、吸入酸素送管を、その酸素噴出口が前記枕部に載せた被術者頭部の口元の上方に臨むよう設けたことを特徴とするリストレスト用離被架。
【請求項２】
前記離被架を中空の吸入酸素送管とし、その側面に前記酸素噴出口を穿設した請求項１に記載のリストレスト用離被架。
【請求項３】
前記吸入酸素送管を、離被架に沿ってその外面に取り付けた請求項１に記載のリストレスト用離被架。
【請求項４】
前記吸入酸素送管の端面を酸素噴出口とし、前記吸入酸素送管の内径を、前記酸素噴出口に近づくに従って大きくした請求項３に記載のリストレスト用離被架。
【請求項５】
前記吸入酸素送管に複数の酸素噴出口を穿設し、これら酸素噴出口の径を、酸素流入部から遠ざかるほど大きくした請求項２又は３に記載のリストレスト用離被架。
【発明の詳細な説明】
【０００１】
【発明の属する技術分野】
本発明は、眼科手術に用いるリストレスト用離被架に関する。
【０００２】
【従来の技術】
眼科手術においては、執刀医の腕がぶれないように、眼科手術台の枕部上方に、手術医の腕を安定させるためのリストレストを設置するのが一般的である。
また、リストレストの両端間には、患者の顔面を覆う覆布を支えるための離被架が架設される。ところが、眼の消毒が済んで、リストレストと離被架が顔面上方に設置され、滅菌済みの清潔な覆布で顔面が覆われると、患者の呼吸スペースが狭くなり、酸欠状態になることがある。また、手術の恐怖で緊張している患者は、呼吸が苦しくなるとショックを起こす心配もあり、これを防ぐために酸素を吸入させる必要がある。
【０００３】
そこで、従来は、患者が呼吸をしやすいようにカップ型の使い捨てマスクの底を直径約２０ｍｍ程度の円形に切り取り、マスクに形成した孔にビニールチューブを差し込んで酸素を送ったり、酸素ボンベに接続したビニールチューブを直接患者の顔に貼り付けて酸素を送っていた。
しかし、局所麻酔で意識のある患者が、点滴用の針を刺され、心電図用の電極を貼り付けられて緊張している処へ、口元にマスクを装着されたり、ビニールチューブを貼り付けられると、さらに緊張して手術に悪影響を与えることになる。
また、マスクの底を切り取り、孔を開けてビニールチューブを差し込むなどの手作業は面倒であるばかりか、手術の度に消耗品であるマスクの費用がかかり、術前にマスクを装着させたり、ビニールチューブを貼り付けるなどの手間もかかる。
【０００４】
【発明が解決しようとする課題】
この発明は、眼科手術で使用されるリストレスト用離被架を利用して吸入酸素を供給でき、患者の緊張が軽減されて、しかも面倒な手作業が伴う材料準備を省略でき、繰り返し使用することから消耗材料が無く、経費を低減できるリストレスト用離被架を提供することを課題とする。
【０００５】
【課題を解決するための手段】
本発明のリストレスト用離被架は、眼科手術台の枕部上方に設置されたリストレストの両端間に架設され、吸入酸素送管を、その酸素噴出口が前記枕部に載せた被術者頭部の口元の上方に臨むよう設けてある。
手術台に取り付けた離被架から被術者の口元上方に酸素が噴出するので、被術者に別の酸素供給用具を装着する必要が無い。
【０００６】
離被架自体を中空の吸入酸素送管とし、その側面に酸素噴出口を穿設しても良い。
或いは、吸入酸素送管を、離被架に沿ってその外面に取り付けても良い。
この場合、吸入酸素送管の端面を酸素噴出口とし、前記吸入酸素送管の内径を、前記酸素噴出口に近づくに従って大きくすることがある。これにより、酸素噴出口から噴出する酸素が、比較的広い範囲に拡散する。
また、前記吸入酸素送管に複数の酸素噴出口を穿設し、これら酸素噴出口の径を、酸素流入基部から遠ざかるほど大きくすることがある。この構成により、噴出する酸素が一個所に集中するのを防止し、酸素圧が高い基部よりも酸素圧が低くなる先端側の酸素噴出口が大きくなっているため、各酸素噴出口から噴出する酸素量が均一化する。
【０００７】
【発明の実施の形態】
図１乃至図４は、第１の実施形態を示す。
図１及び図２に示すように、本発明のリストレスト用離被架１は、眼科手術台２の枕部４上方に設置したリストレスト３の両端間に架設される。
リストレスト３は、図１に示すように、眼科手術台２の脚部側に開口する略Ｕ字形に形成され、枕部４の後部周縁を囲むように、支柱５を介してその上方に設置されている。
また、支柱２の長さを調節することにより、執刀医の要求に応じてリストレスト３の高さを変えることができ、図２に示すように、患者の目に薬をさしたり、ガーゼを当てる場合は、リストレスト３を回動させて、邪魔にならないよう手術台２の側方へ吊り下げることができる。
【０００８】
リストレスト用離被架１は、図３に示すように、棒材を湾曲させてＵ字状の本体部６を形成すると共に、その両端を下方へ屈曲して脚７を形成し、両側の脚７の先端に円環８を装着して成る。また、円環８を貫通するネジ孔に、外面から内周に向けて止めネジ９を螺合してある。
そして、円環８をリストレスト３の両端に外嵌し、止めネジ９を締め付けて、リストレスト用離被架１をリストレスト３の両端間に、眼科手術台２の脚部側上方に向かって張り出すよう取り付ける。
なお、止めネジ９を緩めることによって、リストレスト用離被架１は簡単に取り外すことができる。
【０００９】
リストレスト用離被架１の外面には、一方の脚７から本体部６に沿って、吸入酸素送管１０を溶接して取り付けてある。
吸入酸素送管１０の一端部は外方へ（脚７から遠ざかる方向へ）向けて屈曲され、ビニールチューブ等の接続管１１を介して図示しない酸素ボンベ、またはセントラル方式で室内に設置された医療ガス供給システムのアウトレットに接続できるようになっている。
また、吸入酸素送管１０の他端面は酸素噴出口１２となっており、この酸素噴出口１２は、本体部６の中央部に位置して、枕部４に載せた被術者頭部の口元の上方に臨むよう開口している。
【００１０】
図４に示すように、吸入酸素送管１０の内径は、少なくともその長さ方向中間部から、酸素噴出口１２に近づくに従って次第に太くなるよう形成され、酸素噴出口１２から噴出する酸素が、被術者の口元の一個所に集中せず、比較的広い範囲に均一に分散するようになっている。
眼科手術台２に横たわった被術者の目を消毒した後、被術者の顔面上方にリストレスト３を設置し、さらに、リストレスト３にリストレスト用離被架１を取り付けると共に、リストレスト用離被架１に設けた吸入酸素送管１０と酸素ボンベとを接続管１１を介して接続し、酸素ボンベのバルブを開くか、医療ガス供給システムのアウトレットに接続するだけで、被術者の口元近傍に酸素が供給され、安全に手術を遂行することができる。
【００１１】
図５及び図６は、リストレスト用離被架１自体を吸入酸素送管とした第２の実施形態を示す。
リストレスト用離被架１は、中空の金属パイプを曲げて第１の実施形態と同様に本体部６及び脚７を形成して成る。
また、本体部６の枕部４と対向する側面には、複数の（図に示す例では４個の）酸素噴出口１２が穿設され、両側の脚７には、接続管１１を取り付けるための短い枝管１３が、それぞれリストレスト３と逆側に向かって張り出している。
【００１２】
なお、一方の枝管１３は予備であって通常は閉鎖されており、他方の枝管１３から接続管１１を延ばすと邪魔になるような場合に使用される。
そして、各酸素噴出口１２の径は、酸素流入部である他方の枝管１３から遠ざかるほど大きくなっている。即ち、通常の状態では（他方の枝管１３から酸素が流入した場合は）、複数の酸素噴出口１２から分散して酸素が噴出し、しかも、酸素圧が高い他方の枝管１３寄りの酸素噴出口１２は小さく、酸素圧が低くなるほど酸素噴出口１２が大きくなっているので、各酸素噴出口１２からはほぼ均一な量の酸素が噴出する。
その他の構成及び使用方法は第１の実施形態とほぼ同様なので、同一部分に同一符号を付して詳細な説明を省略する。
【００１３】
なお、リストレスト３の構造及びリストレスト用離被架１のリストレスト３に対する取付構造は、図示のものに限定されない。
また、リストレスト用離被架１の外面に、そのほぼ全長に亘って別体の吸入酸素送管１０を溶接して取り付け、この吸入酸素送管１０に複数の酸素噴出口１２を穿設しても良い。この場合、吸入酸素送管１０の端部に接続管１１を嵌合して酸素を流入させ、酸素噴出口１２の径を、酸素流入部から遠ざかるほど大きくする。
【００１４】
【発明の効果】
請求項１に係る発明によれば、手術中の被術者に対して酸素を供給して吸入させるので、酸欠やショック状態を引き起こすことなく安全に手術を行うことが可能となる。
また、一般的な手術と同様に離被架を設置するだけで済むため、マスクを加工する手作業が不要であって、術前の準備も簡略化され、マスク等のように使い捨てることなく繰り返して使用することができて、経費を低減することが可能となる。
さらに、被術者の顔面にマスクを着用させたり、酸素供給チューブを直接貼り付ける必要がないので、被術者の恐怖心をあおる心配が無い。
【００１５】
請求項２及び請求項３に係る発明によれば、吸入酸素送管が邪魔にならないので、スムーズに手術を行うことができる。
請求項４及び請求項５に係る発明によれば、酸素を被術者の口元の一部のみに集中することなく、比較的広い範囲に均一に供給することができる。
【図面の簡単な説明】
【図１】第１の実施形態を示すリストレスト及びリストレスト用離被架を張り出した状態における眼科手術台の要部斜視図。
【図２】第１の実施形態を示すリストレスト及びリストレスト用離被架を倒した状態における眼科手術台の要部斜視図。
【図３】第１の実施形態を示すリストレスト用離被架の斜視図。
【図４】第１の実施形態に係る吸入酸素送管の要部断面図。
【図５】第２の実施形態を示すリストレスト及びリストレスト用離被架の斜視図。
【図６】第２の実施形態を示すリストレスト用離被架の要部側面図。
【符号の説明】
１  リストレスト用離被架
２  眼科手術台
３  リストレスト
４  枕部
５  支柱
６  本体部
７  脚
８  円環
９  止めネジ
１０  吸入酸素送管
１１  接続管
１２  酸素噴出口
１３  枝管
【図１】
2005013245.tif 000003
【図２】
2005013245.tif 000004
【図３】
2005013245.tif 000005
【図４】
2005013245.tif 000006
【図５】
2005013245.tif 000007
【図６】
2005013245.tif 000008